(57)【要約】【課題】エレベータの複数のロープの長さをまとめて調節する。【解決手段】実施形態のエレベータのロープ長さ調整装置１においては、ばね３は、ロッド２を内部に挿通した状態で配設される。ばね固定ナット３１は、ばね３の自由端部に配設される。支持プレート４は、ロッド２が挿通し、ばね３の固定端部を支持する。ジャッキプレート５は、支持プレート４と対向し、ロッド２が挿通する。ナット６１はジャッキプレート５に配設される。ジャッキボルト６は、ナット６１と螺合し、支持プレート４に一端部が当接される。ロッド規制ナット２１はロッド２のジャッキプレート５の下方への移動を規制する。ジャッキボルト６をナット６１に螺合することで、支持プレート４と対向した状態でジャッキプレート５が支持プレート４と近接する方向または離接する方向に移動して、プレート間の距離を調節する。【選択図】図２
2016055953.tif 000002
【特許請求の範囲】
【請求項１】
昇降路内を、複数のロープの端部に連結された乗りかごと釣り合い錘とが昇降するエレベータの、前記複数のロープの長さを調節するエレベータのロープ長さ調整装置であって、
前記複数のロープの少なくともいずれか一方のそれぞれの端部に配設されたロッドと、
前記ロッドを内部に挿通した状態で配設されたばねと、
前記ばねの自由端部に配設されたばね固定ナットと、
前記ロッドが挿通する挿通孔を有し、前記ばねの固定端部を支持する支持プレートと、
前記支持プレートと対向して配設され、前記ロッドが挿通する挿通孔を有するジャッキプレートと、
前記ジャッキプレートに形成された雌ねじ部材と、
前記雌ねじ部材と螺合して貫通し、前記支持プレートに一端部が当接するジャッキボルトと、
前記ロッドの前記ジャッキプレートの下方への移動を規制するロッド規制ナットと、
を備え、
前記ジャッキボルトを前記雌ねじ部材に螺合することで、前記支持プレートと対向した状態で、前記ジャッキプレートが前記支持プレートと近接する方向または離接する方向に移動して、前記ジャッキプレートと前記支持プレートとの距離を調節可能である、
ることを特徴とするエレベータのロープ長さ調整装置。
【請求項２】
前記ジャッキプレートの移動方向をガイドするガイド部材、
を備えることを特徴とする請求項１に記載のエレベータのロープ長さ調整装置。
【請求項３】
昇降路内を、複数のロープの端部に連結された乗りかごと釣り合い錘とが昇降するエレベータの、前記複数のロープの長さを調節するエレベータのロープ長さ調整方法であって、
前記複数のロープの少なくともいずれか一方のそれぞれの端部に配設されたロッドと、
前記ロッドを内部に挿通した状態で配設されたばねと、
前記ばねの自由端部に配設され、前記ロッドに螺合するばね固定ナットと、
前記ロッドが挿通する挿通孔を有し、前記ばねの固定端部を支持する支持プレートと、
前記支持プレートと対向して配設され、前記ロッドが挿通する挿通孔を有するジャッキプレートと、
前記ジャッキプレートに形成された雌ねじ部材と、
前記雌ねじ部材と螺合して貫通し、前記支持プレートに一端部が当接するジャッキボルトと、
前記ロッドの前記ジャッキプレートの下方への移動を規制するロッド規制ナットと、
を備えるエレベータのロープ長さ調整装置を使用して、
前記ロッド規制ナットが前記ジャッキプレートと当接した状態で前記ロッド規制ナットを螺合して固定し、
前記ジャッキボルトを前記雌ねじ部材に対して所定方向に回転して締め込んで、前記ジャッキプレートを前記支持プレートから離接する方向に移動して、
少なくとも緩んだ前記ばねに対応する前記ばね固定ナットを締め込む方向に螺合して、
前記ジャッキボルトを前記雌ねじ部材に対して逆回転して、前記ジャッキプレートを前記支持プレートに近接する方向に移動して、
前記複数のロープが持ち上げられて、前記複数のロープの長さを調節する、
ことを特徴とするエレベータのロープ長さ調整方法。
【発明の詳細な説明】
【技術分野】
【０００１】
本発明の実施形態は、エレベータの複数のロープの長さをまとめて調節するエレベータのロープ長さ調整装置およびエレベータのロープ長さ調整方法に関する。
【背景技術】
【０００２】
エレベータは、複数のロープの端部に連結された乗りかごと釣り合い錘とが昇降路内を昇降する。複数のロープは、昇降路内に配設された巻上機に巻き掛けられており、巻上機が回転することで、複数のロープは巻き上げられる。そして、複数のロープが巻き上げられると、乗りかごと釣り合い錘とが相対して昇降する。
【先行技術文献】
【特許文献】
【０００３】
【特許文献１】特開２０１４−０７３８８６号公報
【特許文献２】特開２０１１−２１９１９３号公報
【発明の概要】
【発明が解決しようとする課題】
【０００４】
ロープは乗りかごの重さと釣り合い錘の重さとを支えているため、ロープは経年による伸びが生じる。ロープの伸びが生じると、ロープの長さを調節する必要がある。そのため、各ロープの端部には、ロープ長さ調節装置が配設されている。ところが、各ロープ長さ調節装置で複数のロープの長さを１本ずつ調節する作業は、手間と時間を要するという問題があった。また、複数のロープの長さを１本ずつ調節すると、作業中は長さの異なるロープが混在することになる。このため、乗りかごの重さと釣り合い錘の重さによる負荷が複数のロープに均等に作用せず、いずれかのロープに集中して作用するおそれがある。
【０００５】
本発明は、上記に鑑みてなされたものであって、エレベータの複数のロープの長さをまとめて調節するエレベータのロープ長さ調整装置およびエレベータのロープ長さ調整方法を提供することを目的とする。
【課題を解決するための手段】
【０００６】
実施形態のエレベータのロープ長さ調整装置は、ロッドと、ばねと、ばね固定ナットと、支持プレートと、ジャッキプレートと、雌ねじ部材と、ジャッキボルトと、ロッド規制ナットとを有する。ロッドは、複数のロープの少なくともいずれか一方のそれぞれの端部に配設されている。ばねは、前記ロッドを内部に挿通した状態で配設されている。ばね固定ナットは、前記ばねの自由端部に配設されている。支持プレートは、前記ロッドが挿通する挿通孔を有し、前記ばねの固定端部を支持する。ジャッキプレートは、前記支持プレートと対向して配設され、前記ロッドが挿通する挿通孔を有する。雌ねじ部材は、前記ジャッキプレートに形成されている。ジャッキボルトは、前記雌ねじ部材と螺合して貫通し、前記支持プレートに一端部が当接されている。ロッド規制ナットは、前記ロッドの前記ジャッキプレートの下方への移動を規制する。前記ジャッキボルトを前記雌ねじ部材に螺合することで、前記支持プレートと対向した状態で、前記ジャッキプレートが前記支持プレートと近接する方向または離接する方向に移動して、前記ジャッキプレートと前記支持プレートとの距離を調節する。
【図面の簡単な説明】
【０００７】
【図１】図１は、実施形態に係るエレベータのロープ長さ調整装置が適用されたエレベータの概略構成例を示す図である。
【図２】図２は、実施形態に係るエレベータのロープ長さ調整装置を使用したエレベータのロープ長さ調整方法を説明する図であって、ロープが伸長している状態を示す正面図である。
【図３】図３は、実施形態に係るエレベータのロープ長さ調整装置の斜視図である。
【図４】図４は、実施形態に係るエレベータのロープ長さ調整装置を使用したエレベータのロープ長さ調整方法を説明する図であって、ジャッキプレートを上昇させた状態を示す正面図である。
【図５】図５は、実施形態に係るエレベータのロープ長さ調整装置を使用したエレベータのロープ長さ調整方法を説明する図であって、ロープの伸長が解消された状態を示す正面図である。
【図６】図６は、実施形態に係るエレベータのロープ長さ調整装置を使用したエレベータのロープ長さ調整方法を説明する図であって、ジャッキプレートを下降させた状態を示す正面図である。
【発明を実施するための形態】
【０００８】
以下に、本発明につき図面を参照しつつ詳細に説明する。なお、下記の実施形態は例示であり、発明の範囲がそれらに限定されるものではない。また、下記の実施形態における構成要素には、当業者が容易に想定できるものあるいは実質的に同一のものが含まれる。
【０００９】
〔実施形態〕
図１は、実施形態に係るエレベータのロープ長さ調整装置（以下、ロープ長さ調整装置）１が適用されたエレベータの概略構成例を示す図である。エレベータ１００は、図１に示すように、かご１１０と、釣り合い錘１２０と、メインロープ（ロープ）１３０と、シーブ１４０と、かご側シーブ１５０、１６０、釣り合い錘側シーブ１７０とを有して構成されている。なお、本実施形態では、かご１１０、釣り合い錘１２０、メインロープ１３０は、昇降路（図示省略）内に配置されている。また、巻上機（図示省略）、シーブ１４０および制御装置（図示省略）は、機械室（図示省略）内に配置されている。なお、機械室を設けずに、巻上機、制御装置を昇降路内に配置してもよい。
【００１０】
かご１１０は、利用者が乗降するものである。かご１１０は、昇降路内に設置された図示しない一対のかご用ガイドレールの間に配置され、かご用ガイドレールに対して１以上設けられた図示しない案内装置を介してかご用ガイドレールに沿って昇降することで、昇降路内を昇降するものである。
【００１１】
釣り合い錘１２０は、かご１１０の昇降に連動して昇降路内を昇降するものである。釣り合い錘１２０は、図示しない一対のウェイト用ガイドレールの間に配置され、ウェイト用ガイドレールに対して１以上設けられた図示しない案内装置を介してウェイト用ガイドレールに沿って昇降する。
【００１２】
メインロープ１３０は、かご１１０と釣り合い錘１２０とを連結する複数のロープであり、シーブ１４０、かご側シーブ１５０、１６０、釣り合い錘側シーブ１７０に巻き掛けられている。メインロープ１３０は、かご１１０と、釣り合い錘１２０とをトラクション式に昇降させるものである。メインロープ１３０は、本実施形態では、一方の端部がかご１１０の鉛直方向の上部に連結され、他方の端部が釣り合い錘１２０の鉛直方向の上部に連結されている。このようなメインロープ１３０が、２本配設されている。
【００１３】
巻上機は、回転することでシーブ１４０に巻き掛けられたメインロープ１３０をモータにより巻き上げ、かご１１０と釣り合い錘１２０との昇降方向における相対位置を変化させることで、かご１１０を昇降路内で昇降させるものである。巻上機は、制御装置と電気的に接続されており、制御装置を介して供給される電力によりモータの駆動制御が行われる。
【００１４】
制御装置は、エレベータ１００の運転を制御するものであり、少なくとも巻上機の駆動制御を行うものである。
【００１５】
ロープ長さ調整装置１は、このような構成のエレベータ１００に配設される。本実施形態では、ロープ長さ調整装置１は、昇降路内を、２本のメインロープ１３０の端部に連結されたかご１１０と釣り合い錘１２０とが昇降するエレベータ１００の、２本のメインロープ１３０の長さを調節するものである。ロープ長さ調整装置１は、各メインロープ１３０のかご１１０側端部と釣り合い錘１２０側端部とにそれぞれ配設されている。ここでは、ロープ長さ調整装置１は、主として、メインロープ１３０のかご１１０側端部に配設されているものを説明する。
【００１６】
ロッド２は、図２、図３に示すように、各メインロープ１３０の両端部にそれぞれ配設されている。ここでは、ロッド２は、２本のメインロープ１３０の両端部に合計４本配設されている。ロッド２は、例えば、シンブルロッドで構成されている。ロッド２は、ソケット（図示省略）を介して、メインロープ１３０と接続されている。これにより、ロッド２が鉛直方向の上方に移動すると、メインロープ１３０も鉛直方向の上方に移動する。ロッド２の鉛直方向の上端部で、後述するジャッキプレート５の鉛直方向の上方には、ロッド規制ナット２１が配設されている。
【００１７】
ロッド規制ナット２１は、ダブルナットで構成されている。ロッド規制ナット２１の外径は、挿通孔５１よりも大きく設定されている。ロッド規制ナット２１を相互に螺合しダブルナットをロックすると、ロッド規制ナット２１がロッド２に固定される。これにより、ロッド規制ナット２１の底面がジャッキプレート５の上面と当接すると、ロッド２の鉛直方向の下方への移動がジャッキプレート５によって規制される。
【００１８】
ばね３は、各ロッド２を内部に挿通した状態で配設され、例えば、圧縮コイルばねで構成されている。ばね３は、メインロープ１３０に作用する鉛直方向の下方への荷重を吸収する緩衝部材である。また、メインロープ１３０に伸びが生じると、ばね３は変形する。ばね３の固定端部３ａは、後述するヒッチプレート（支持プレート）４に固定されている。ばね３の自由端部３ｂには、ロッド２と螺合するばね固定ナット３１が配設されている。ばね固定ナット３１は、ダブルナットで構成されている。ばね固定ナット３１を相互に螺合しダブルナットをロックすると、ばね３の自由端部３ｂがロッド２に固定される。これにより、ロッド２が鉛直方向の上方に移動すると、ばね３は鉛直方向の上方に伸長する。
【００１９】
ヒッチプレート４は、ロッド２が挿通する挿通孔４１を有し、ばね３の固定端部３ａが固定されている。具体的には、ヒッチプレート４は、矩形状の平板で構成され、ロッド２をそれぞれ挿通する、厚さ方向に貫通した２つの挿通孔４１が形成されている。挿通孔４１の径は、ロッド２の外径よりも大きく、ばね３の外径よりも小さく設定されている。このため、ヒッチプレート４の上面によってばね３の固定端部３ａが支持される。また、挿通孔４１をロッド２が貫通している。また、ヒッチプレート４の鉛直方向の下方には、ソケットが配設されている。挿通孔４１を貫通したロッド２は、ソケットを介してメインロープ１３０に連結されている。このヒッチプレート４は、機械室内に配設された梁（図示省略）に固定されている。
【００２０】
ジャッキプレート５は、ヒッチプレート４と対向して、鉛直方向の上方に配設されている。ジャッキプレート５は、２本のロッド２がそれぞれ挿通する２つの挿通孔５１を有し、ヒッチプレート４と対向した状態で鉛直方向に上下動する。より詳しくは、図３に示すように、ジャッキプレート５は、矩形状の平板で構成され、２本のロッド２の軸部をそれぞれ挿通する厚さ方向に貫通した２つの挿通孔５１が中央部に並んで形成されている。挿通孔５１の径は、ロッド２の外径よりも大きく、ロッド規制ナット２１の外径よりも小さく設定されている。また、ジャッキプレート５は、後述する２本のジャッキボルト６の軸部をそれぞれ挿通する厚さ方向に貫通した２つの挿通孔５２が対角線上両端部に形成されている。挿通孔５２の径は、ジャッキボルト６の外径よりも大きく、ナット（雌ねじ部材）６１の外径よりも小さく設定されている。さらに、ジャッキプレート５は、後述する２本のジャッキガイド棒（ガイド部材）７の軸部をそれぞれ挿通する厚さ方向に貫通した２つの挿通孔５３が、挿通孔５２が形成された対角線とは異なる対角線上両端部に形成されている。挿通孔５３の径は、ジャッキガイド棒７の外径よりも大きく設定されている。
【００２１】
ジャッキプレート５は、鉛直方向に上下動、すなわち、ヒッチプレート４と離間する方向と近接する方向とに移動する。ジャッキプレート５がヒッチプレート４と離間する方向に移動すると、ロックされた状態のロッド規制ナット２１はジャッキプレート５に当接して持ち上げられて、ロッド２が持ち上げられる。
【００２２】
ジャッキボルト６は、ジャッキプレート５に固定されたナット６１と螺合して貫通し、ヒッチプレート４に一端部６ａが当接している。ジャッキボルト６は、ロッド２の長さよりも短い長さに設定されている。メインロープ１３０の長さが適切な長さに調節された状態で、ナット６１とボルト頭部６ｂとが離接するように、ジャッキボルト６の長さが設定されている。
【００２３】
ナット６１は、挿通孔５２の鉛直方向の上方の同軸上に固定され、ジャッキボルト６の軸部と螺合する雌ねじ部材である。ナット６１の外径は、挿通孔５２よりも大きく設定されている。ジャッキボルト６をナット６１に螺合する（回転する）方向を変えることにより、ナット６１は鉛直方向に上下動する。これにより、ナット６１と固定されたジャッキプレート５は、ナット６１とともに、ヒッチプレート４と近接する方向に移動したり、ヒッチプレート４から離接する方向に移動したりする。すなわち、ジャッキボルト６をナット６１に螺合することにより、ジャッキプレート５は鉛直方向に上下動し、ジャッキプレート５とヒッチプレート４との距離が調節される。
【００２４】
ナット６２は、挿通孔５２の鉛直方向の下方の同軸上に固定され、ジャッキボルト６の軸部と螺合する雌ねじ部材である。ナット６２の外径は、挿通孔５２よりも大きく設定されている。ナット６２は、ジャッキプレート５の鉛直方向の下方への移動を規制するものである。具体的には、ナット６２は、メインロープ１３０の長さの調整後は、ばね固定ナット３１よりも鉛直方向の上方に配設されている。そして、このようなジャッキボルト６は、図３に示すように、ジャッキプレート５の対角線上両端部に２本配設されている。
【００２５】
ジャッキガイド棒７は、ヒッチプレート４に対するジャッキプレート５の鉛直方向の上下動をガイドするものである。ジャッキガイド棒７は、ジャッキボルト６の軸部と同等の長さを有している。ジャッキガイド棒７は、図２に示すように、固定端部が固定ナット７１を介してヒッチプレート４に固定され、自由端部がジャッキプレート５の挿通孔５３にスライド自在に挿通されている。このようなジャッキガイド棒７は、図３に示すように、ジャッキプレート５の、ジャッキボルト６が配設された対角線とは異なる対角線上両端部に２本配設されている。
【００２６】
このような構成のロープ長さ調整装置１は、メインロープ１３０のかご１１０側端部と、釣り合い錘１２０側端部とにそれぞれ配設されており、メインロープ１３０両端部においてメインロープ１３０の長さを調節する。
【００２７】
この実施形態に係るロープ長さ調整装置１は、以上のごとき構成からなり、以下、エレベータのロープ長さ調整方法（以下、ロープ長さ調整方法）とその作用について説明する。
【００２８】
管理会社が実施するエレベータ１００の定期点検などにより、メインロープ１３０に調節が必要な伸びが生じていることが確認されると、作業者は、ロープ長さ調整装置１を使用したロープ長さ調整方法で、メインロープ１３０の長さを調節する。ここでは、２本のメインロープ１３０に同様の伸びが生じているものとする。
【００２９】
このとき、メインロープ１３０が伸びているため、ばね３は圧縮された初期状態（調整直後の状態）から、圧縮量が減少して自然長に近づいた状態となっている。また、ロッド規制ナット２１は、ジャッキプレート５の鉛直方向の上方に離接している。２本のメインロープ１３０に伸びの差がある場合は、伸びが大きい方のメインロープ１３０に連結されたばね３の方が圧縮量の減少が大きく、より自然長に近づいた状態となっている。
【００３０】
まず、作業者は、エレベータ１００を、点検保守モードにする。具体的には、作業者は、エレベータ１００の各階の乗り場に「点検保守中」である旨を掲示する。そして、作業者は機械室に入り、制御盤の各スイッチを操作してエレベータ１００を通常運転モードから点検保守モードに切り替える。
【００３１】
かご１１０側のメインロープ１３０の長さを調節する場合について説明する。作業者は、メインロープ１３０のかご１１０側端部に配設されているロープ長さ調整装置１で以下のように作業を行う。まず、作業者は、図２、図３に示すように、ロッド規制ナット２１がジャッキプレート５に当接した状態で、ロッド規制ナット２１を螺合してダブルナットでロックしてロッド２に固定する。このときのジャッキプレート５の底面とヒッチプレート４の上面との距離（以下、プレート間距離）をＤ１とする。
【００３２】
そして、作業者は、図４に示すように、ジャッキボルト６をナット６１に対して回転させて締め込んで、ジャッキプレート５を鉛直方向の上方、すなわち、ヒッチプレート４から離接する方向に移動させる。このときのプレート間距離をＤ２（Ｄ１＜Ｄ２）とする。これにより、ロッド２のロッド規制ナット２１がジャッキプレート５によって持ち上げられて、ロッド２が持ち上げられる。そして、ロッド２と連結されたメインロープ１３０が鉛直方向の上方に持ち上げられる。そして、圧縮状態のばね３を緩んだ状態、すなわち、張力の作用していない状態とする。また、このとき、２本のメインロープ１３０に伸びの差がある場合は、伸びが大きい方のメインロープ１３０に連結されたばね３が先に緩められる。
【００３３】
そして、作業者は、図５に示すように、ばね固定ナット３１を締め込んで、メインロープ１３０の長さを調節する。具体的には、作業者は、各メインロープ１３０の伸び具合に応じて、調整後のメインロープ１３０の長さが適切となるように短くする。このとき、ばね３は緩んだ状態であるため、ばね固定ナット３１は手で容易に回すことができる。作業者は、すべてのばね固定ナット３１を締め込んで、すべてのメインロープ１３０の長さを同様に調節する。
【００３４】
そして、作業者は、図６に示すように、ジャッキボルト６をナット６１に対して反対方向に回転させて、ジャッキプレート５を鉛直方向の下方、すなわち、ジャッキプレート５をヒッチプレート４に近接する方向に移動させる。このときのプレート間距離をＤ３（Ｄ３＜Ｄ２）とする。作業者は、ロッド規制ナット２１がジャッキプレート５に当接した状態で、ロッド規制ナット２１を螺合してダブルナットでロックしてロッド２に固定する。作業者は、ナット６２を、ばね固定ナット３１よりも鉛直方向の上方に位置させる。また、作業者は、ロッド規制ナット２１を、ジャッキプレート５よりも鉛直方向の上方に螺合してダブルナットでロックしてロッド２に固定する。これにより、通常時においては、ばね３は動きが規制されず、メインロープ１３０に作用する鉛直方向の下方への荷重がばね３によって吸収される。このようにして、作業者は、ロープ長さ調整装置１を使用したロープ長さ調整方法で、かご１１０側のメインロープ１３０の長さを調節して、適切な長さに短くする。
【００３５】
また、作業者は、釣り合い錘１２０側のメインロープ１３０の長さも同様に調節する。
【００３６】
このようにして、作業者は、ロープ長さ調整装置１を使用したロープ長さ調整方法で、メインロープ１３０の長さを調節する。
【００３７】
以上のように、本実施形態に係るロープ長さ調整装置１およびロープ長さ調整方法では、ジャッキプレート５をヒッチプレート４から離接する方向に移動させると、ジャッキプレート５によって、ロッド２と連結されたメインロープ１３０が鉛直方向の上方に持ち上げられて、圧縮されたばね３を緩めることができる。ナット６２によってジャッキプレート５をロックして、鉛直方向の下方への移動を規制することができる。そして、ばね固定ナット３１を締め込んで、メインロープ１３０の長さが適切となるようにばね３を圧縮する。このようにして、エレベータ１００の複数のメインロープ１３０の長さをまとめて１度に調節することができる。また、メインロープ１３０の長さ調整作業に伴うエレベータ１００の停止時間を削減することができる。このように、作業者の熟練度によらず、誰でも容易に短時間で作業ができる。
【００３８】
また、本実施形態に係るロープ長さ調整装置１およびロープ長さ調整方法では、ばね３に張力が作用していない状態で作業できるため、スパナなどの工具を使用せずに手でナットを緩めることができる。このため、ロッド間の距離が小さい場所であっても、容易に作業できる。
【００３９】
また、本実施形態に係るロープ長さ調整装置１およびロープ長さ調整方法では、ロッド規制ナット２１をロックして、ジャッキプレート５によってロッド２の移動が規制される。これにより、作業中は、ジャッキプレート５によってロッド２を支持して、複数のメインロープ１３０の長さをまとめて均等に調節することができる。このため、かご１１０の重さと釣り合い錘１２０の重さによる負荷を、複数のメインロープ１３０に均等に作用させることができる。いずれかのメインロープ１３０に過負荷がかからないため、メインロープ１３０を長寿命化することが可能である。
【００４０】
また、本実施形態に係るロープ長さ調整装置１およびロープ長さ調整方法では、ロッド規制ナット２１をロックして、ジャッキプレート５によってロッド２の移動を規制するので、作業中は、かご１１０、釣り合い錘１２０の位置が鉛直方向の下方に下がることがない。このため、作業中に、かご１１０、釣り合い錘１２０が不用意に昇降路の床面などに接触することを防止できるので、作業の安全性を高めることができる。さらに、ジャッキプレート５の落下がナット６２によって防止されるので、作業の安全性をより高めることができる。
【００４１】
また、本実施形態に係るロープ長さ調整装置１およびロープ長さ調整方法では、メインロープ１３０を２本として説明したが、これに限定されるものではない。また、ジャッキボルト６、ジャッキガイド棒７の数や配置は上記に限定されないことはもちろんである。
【００４２】
また、複数のメインロープ１３０のいずれかに、調整が必要な伸びが生じている場合には、次にようにすればよい。具体的には、作業者は、上記のエレベータのロープ長さ調整方法の説明と同様に、ジャッキプレート５を鉛直方向の上方に移動させる。これにより、ロッド２が持ち上げられた際に、伸びが大きい方の（調整が必要な）メインロープ１３０に連結されたばね３が先に緩められる。そして、作業者は、調整が必要なメインロープ１３０に接続されたばね３が緩んだら、ばね固定ナット３１を締め込む。このとき、他の調整が不要なメインロープ１３０に連結されたばね３については、そのままとする。このようにして、調整が必要なメインロープ１３０について長さを調節することができる。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１  ロープ長さ調整装置（エレベータのロープ長さ調整装置）、２  ロッド、２１  ロッド規制ナット、３  ばね、３１  ばね固定ナット、４  ヒッチプレート（支持プレート）、４１  挿通孔、５  ジャッキプレート、５１  挿通孔、５２  挿通孔、５３  挿通孔、６  ジャッキボルト、６１  ナット（雌ねじ部材）、７  ジャッキガイド棒（ガイド部材）、１００  エレベータ、１１０  かご、１２０  釣り合い錘、１３０  メインロープ（ロープ）、１４０  シーブ、１５０  かご側シーブ、１６０  かご側シーブ、１７０  釣り合い錘側シーブ
【図１】
2016055953.tif 000003
【図２】
2016055953.tif 000004
【図３】
2016055953.tif 000005
【図４】
2016055953.tif 000006
【図５】
2016055953.tif 000007
【図６】
2016055953.tif 000008
【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
昇降路内を、複数のロープの端部に連結された乗りかごと釣り合い錘とが昇降するエレベータの、前記複数のロープの長さを調節するエレベータのロープ長さ調整装置であって、前記複数のロープの少なくともいずれか一方のそれぞれの端部に配設されたロッドと、前記ロッドを内部に挿通した状態で配設されたばねと、前記ばねの自由端部に配設されたばね固定ナットと、前記ロッドが挿通する挿通孔を有し、前記ばねの固定端部を支持する支持プレートと、前記支持プレートと対向して配設され、前記ロッドが挿通する挿通孔を有するジャッキプレートと、前記ジャッキプレートに固定された雌ねじ部材と、前記雌ねじ部材と螺合して貫通し、前記支持プレートに一端部が当接するジャッキボルトと、前記ロッドの前記ジャッキプレートの下方への移動を規制するロッド規制ナットと、を備え、前記ジャッキボルトを前記雌ねじ部材に螺合することで、前記支持プレートと対向した状態で、前記ジャッキプレートが前記支持プレートと近接する方向または離接する方向に移動して、前記ジャッキプレートと前記支持プレートとの距離を調節可能である、ことを特徴とするエレベータのロープ長さ調整装置。
【請求項２】
前記ジャッキプレートの移動方向をガイドするガイド部材、を備えることを特徴とする請求項１に記載のエレベータのロープ長さ調整装置。
【請求項３】
昇降路内を、複数のロープの端部に連結された乗りかごと釣り合い錘とが昇降するエレベータの、前記複数のロープの長さを調節するエレベータのロープ長さ調整方法であって、前記複数のロープの少なくともいずれか一方のそれぞれの端部に配設されたロッドと、前記ロッドを内部に挿通した状態で配設されたばねと、前記ばねの自由端部に配設され、前記ロッドに螺合するばね固定ナットと、前記ロッドが挿通する挿通孔を有し、前記ばねの固定端部を支持する支持プレートと、前記支持プレートと対向して配設され、前記ロッドが挿通する挿通孔を有するジャッキプレートと、前記ジャッキプレートに固定された雌ねじ部材と、前記雌ねじ部材と螺合して貫通し、前記支持プレートに一端部が当接するジャッキボルトと、前記ロッドの前記ジャッキプレートの下方への移動を規制するロッド規制ナットと、を備えるエレベータのロープ長さ調整装置を使用して、前記ロッド規制ナットが前記ジャッキプレートと当接した状態で前記ロッド規制ナットを螺合して固定し、前記ジャッキボルトを前記雌ねじ部材に対して所定方向に回転して締め込んで、前記ジャッキプレートを前記支持プレートから離接する方向に移動して、少なくとも緩んだ前記ばねに対応する前記ばね固定ナットを締め込む方向に螺合して、前記ジャッキボルトを前記雌ねじ部材に対して逆回転して、前記ジャッキプレートを前記支持プレートに近接する方向に移動して、前記複数のロープが持ち上げられて、前記複数のロープの長さを調節する、ことを特徴とするエレベータのロープ長さ調整方法。
【手続補正２】
【補正対象書類名】明細書
【補正対象項目名】０００６
【補正方法】変更
【補正の内容】
【０００６】
実施形態のエレベータのロープ長さ調整装置は、ロッドと、ばねと、ばね固定ナットと、支持プレートと、ジャッキプレートと、雌ねじ部材と、ジャッキボルトと、ロッド規制ナットとを有する。ロッドは、複数のロープの少なくともいずれか一方のそれぞれの端部に配設されている。ばねは、前記ロッドを内部に挿通した状態で配設されている。ばね固定ナットは、前記ばねの自由端部に配設されている。支持プレートは、前記ロッドが挿通する挿通孔を有し、前記ばねの固定端部を支持する。ジャッキプレートは、前記支持プレートと対向して配設され、前記ロッドが挿通する挿通孔を有する。雌ねじ部材は、前記ジャッキプレートに固定されている。ジャッキボルトは、前記雌ねじ部材と螺合して貫通し、前記支持プレートに一端部が当接されている。ロッド規制ナットは、前記ロッドの前記ジャッキプレートの下方への移動を規制する。前記ジャッキボルトを前記雌ねじ部材に螺合することで、前記支持プレートと対向した状態で、前記ジャッキプレートが前記支持プレートと近接する方向または離接する方向に移動して、前記ジャッキプレートと前記支持プレートとの距離を調節する。